(57)【要約】      （修正有）【課題】起伏のある地面に作業台を設置する際に、容易に各脚を地面の高低差に対応させ、作業スペースに応じて自由に設置でき、さらにガタつきもなく、軽量で折り畳み又は分解が可能なパネルとこれを用いたパネル構造物を提供する。【解決手段】パネルは、略矩形の板体又は枠体の側辺に、それぞれ鉛直方向に軸が形成されるよう一又は複数の通軸管を突設し、一の側面の二辺において、一の側辺に設けた通軸管１１、１２の底部が他の側辺に設けた通軸管１７、１８の上部よりも高い位置に配置され、かつ、他の側面の二辺に設けた通軸管１３〜１６の配置が一の側面の通軸管の配置と対称となることを特徴とする。【選択図】図１
0003217769.tif 000002
【実用新案登録請求の範囲】
【請求項１】
略矩形の板体又は枠体の側辺に、それぞれ鉛直方向に軸が形成されるよう一又は複数の通軸管を突設したパネルであって、
一の側面の二辺において、一の側辺に設けた前記通軸管の底部が他の側辺に設けた前記通軸管の上部よりも高い位置に配置され、かつ、他の側面の二辺に設けた前記通軸管の配置が前記一の側面の前記通軸管の配置と対称となることを特徴とするパネル。
【請求項２】
底辺中央を切欠し二面で大地に接地する脚部を設けたものであることを特徴とする請求項１に記載のパネル。
【請求項３】
複数の前記パネルを立設して隣り合わせ、隣り合う前記パネルの側面に設けられた前記通軸管を組み合わせると二つの軸が形成され、そのうち一つの軸が挿通するよう通軸管を組み合わせ、軸部材を挿嵌することにより回動自在となる請求項１又は２に記載のパネル構造物。
【請求項４】
前記軸部材は、前記二つの軸のうち、内側に曲げる側の軸の上にある前記通軸管に挿通して隣接する前記パネルを連結して形成する請求項３に記載のパネル構造物。
【請求項５】
請求項３又は４に記載の前記パネル構造体に天板を載せた架台。
【考案の詳細な説明】
【技術分野】
【０００１】
本考案は、不使用時にはコンパクトに折り畳まれて収納に便利なパネル及びこれを用いたパネル構造体に関する。
【背景技術】
【０００２】
建設現場等において作業確認や打ち合わせ時に天面で作業できる移動可能な作業台の脚部材として、図１０（ａ）に示す部材Ｘ、Ｙが市販されている。すなわち、部材Ｘ、Ｙは、いずれも同一の大きさの略矩形の板状体であり、その底面中央を切欠して二つの脚部を備える。部材Ｘは上面中央から下方鉛直方向にスリットＳ１を備え、部材Ｙは、二つの脚部の中間位置から上方鉛直方向にスリットＳ２を備えている。部材ＸのスリットＳ１と部材ＹのスリットＳ２とを十字に交差させて嵌合すると、図１０（ｂ）に示すパネルＸＹを形成する。しかしながら、このような組立式パネルに天板を置く作業台では、起伏のある地面に立設すると、各脚の接地高さが略均一とならず、天板が傾斜し、作業台としての使用に支障をきたすという問題点があった。さらに、脚部材Ｘ、Ｙが十字に天板を支持するため、支持していない面に手をつくとガタつき、天板の揺れで作業に支障をきたすという問題もあった。
【０００３】
また、別の作業台としては、天板を着脱自在に支持する４本の脚部を備えたものが市販されている。当該作業台の各脚部は、略四側辺形状に形成された作業台の各側辺部付近に取り付けられ、天板と各脚部とは分解して収納、運搬等され、任意の場所で作業台が組み立てられるようになっている。また、各脚部は、傾倒自在に構成され、天板とのなす側辺を多段階で変更可能となっているため、各脚部の傾斜側辺度をそれぞれ任意の同一傾斜側辺度とすることにより、天板を略水平状態としつつ、天板の高さ調整が可能となっている。しかしながら、このような組立式作業台では、各脚が天板に同じ傾斜側辺度で固定されるので、この組立式作業台を起伏のある地面に立設する場合に、各脚の接地高さが略均一とならず、天板が傾斜し、作業台としての使用に支障をきたすという問題点があった。
なお、各脚に伸縮機構を設けて地面の高低差に対応可能な構成とすることが考えられるが、テーブルの展開時に各脚を伸縮させるとなると、使用者等はテーブルを支持して各脚が自由に伸縮できる状態として各脚の伸縮操作を行うこととなり、脚の長さを好適に調整するには時間がかかり、かえって使用者にとって極めて不便である。
【０００４】
以上のような起伏のある地面でも使用できる組み立て式テーブルは、下記の発明が提案されている。
特許文献１に係るテーブルは、テーブルの天板を着脱自在に支持し、鉛直方向に対して傾斜する少なくとも３本の上脚と、各上脚がそれぞれ略鉛直方向を軸として回動自在に接続される連結体と、その連結体を支持し、連結体にそれぞれ略鉛直方向を軸として回動自在に接続され、鉛直方向に対して傾斜する少なくとも３本の下脚と、を備え、各下脚を回動することにより各下脚の接地位置を選択できるようにしたものである。
【先行技術文献】
【特許文献】
【０００５】
【特許文献１】特開２００４−２４３０２４号公報
【考案の概要】
【考案が解決しようとする課題】
【０００６】
上記特許文献１に係る発明は、起伏のある地面にテーブルを設置する際に、使用者等が簡単容易に各脚を地面の高低差に対応させることのできるテーブル用脚装置及びこれを備えた組立式テーブルである。
しかしながら、建設現場やキャンプ場等においては、地面が起伏するのみならず、作業台を置くことができるスペースが限られている場合も少なくない。具体的には、住宅建設において、人や自転車が行き交う狭隘な露地に作業台を設置しなければならないようなケースは細長い天板を用いた作業台を選択しなければならない。また、打ち合わせや作業人数によっては、大きさの異なる天板をその状況に合わせて選択するケースもありうる。特許文献１に係る脚装置やそれを用いたテーブルは、上記課題に対応するに至らない。
【０００７】
本考案は、このような問題に鑑み、起伏のある地面に作業台を設置する際に、使用者等が容易に各脚を地面の高低差に対応させ、作業スペースに応じて自由に設置でき、さらにガタつきもなく、軽量で折り畳み又は分解が可能なパネルとこれを用いたパネル構造物を提供することを目的とする。
【課題を解決するための手段】
【０００８】
上記問題を解決するために、本考案のパネルは、略矩形の板体又は枠体の側辺に、それぞれ鉛直方向に軸が形成されるよう一又は複数の通軸管を突設し、一の側面の二辺において、一の側辺に設けた通軸管の底部が他の側辺に設けた通軸管の上部よりも高い位置に配置され、かつ、他の側面の二辺に設けた通軸管の配置が一の側面の通軸管の配置と対称となることを特徴とする。なお、本考案のパネルは、底辺中央を切欠し二面で大地に接地する脚部を設けるとよい。
【０００９】
また、本考案のパネル構造物は、複数の本考案のパネルを立設して隣り合わせ、隣り合うパネルの側面に設けられた通軸管を組み合わせると二つの軸が形成され、そのうち一つの軸が挿通するよう通軸管を組み合わせ、軸部材を挿嵌することにより回動自在となることを特徴とする。また、軸部材は、二つの軸のうち、内側に曲げる側の軸上にある通軸管に挿通して隣接するパネルを連結して形成される。
【００１０】
さらに、前述したパネル構造体に天板を載せたパネル構造体として使用することができる。
【考案の効果】
【００１１】
本考案に係るパネル構造体や架台によれば、起伏のある地面に作業台を設置する際に、使用者等が容易に各脚を地面の高低差に対応させることができる。
また、作業スペースに応じて、本考案に係るパネルの開き具合を自由に設定することにより対応することができる。さらに軽量で折り畳み又は分解が可能であるので、未使用時には、折り畳んだまま収納することで、使用時に組立て直す必要がない。また、折り畳んだままあるいは分解した状態で車両等に搭載して運搬することができる。
なお、同一のパネルを組み合わせることにより、天板を載せるだけで架台を完成することができるので、金型コスト等を低減することができる。
【図面の簡単な説明】
【００１２】
【図１】本考案の実施例１に係るパネル１の正面図である。
【図２】本考案の実施例１に係るパネル１の平面図（ａ）と右側面図（ｂ）である。
【図３】本考案の実施例１に係る２枚のパネル１、２を軸支したパネル構造体Ａを示す図である。
【図４】パネル構造体Ａの軸支した２枚のパネル１、２の開閉の様子を示す平面図である。
【図５】パネル構造体Ａの軸支した２枚のパネル１、２の開閉の様子を示す平面図である。
【図６】複数のパネルを軸支したパネル構造体Ｂ、Ｃ、Ｄを示す図である。
【図７】本考案の実施例１に係る２枚のパネル１、２を連結部材４０で連結固定した状態を示す図である。
【図８】複数のパネルを軸支又は連結固定したパネル構造体Ｅについて、パネルを折り畳む様子を示す図である。
【図９】複数のパネルを軸支又は連結固定したパネル構造体Ｅについて、パネルを折り畳む様子を示す図である。
【図１０】建設現場等に使用される従来の作業台用脚部材を示す図である。
【考案を実施するための形態】
【００１３】
以下、本考案の実施例を図面に基づき詳細に説明する。各図において、同一部分には同一番号を付し、重複する説明は省略する。また、図面は、本考案を理解するために誇張して表現している場合もあり、必ずしも縮尺どおり精緻に表したものではないことに留意されたい。なお、本考案は下記に示される実施例に限られるものではない。
【実施例１】
【００１４】
実施例１を図面を参照して詳細に説明する。
【００１５】
パネル１の全体構成を説明する。図１は、本考案の実施例１に係るパネル１の正面図である。
まず、図１を参照する。図１に示すとおり、パネル１は、略矩体の板体の中央Ｃを切欠した基部１０と、底部中央を切欠し二面で大地に接地する脚部１０１、１０２とからなる。中央Ｃを切欠しているのは、軽量化と持ちやすくするためであり、必ずしも切り欠かなくてもよい。なお、板体の代替として、枠体を組み合わせて図１のような外形としてもよい。また、脚部１０１、１０２は所望の寸法で設計することができる。
そして、本考案の最も特徴的な構造として、パネル１は、右側面の四つの側辺に通軸管１１、１２、１３、１４が、左側面の四つの側辺に通軸管１５、１６、１７、１８を鉛直方向に二つの軸が形成されるように固定している。すなわち、右側面の一方の側辺においては、通軸管（上側）１１と通軸管（下側）１２が一つの軸になるように取付けられており、他方の側辺においては、通軸管（上側）１３と通軸管（下側）１４がもう一つの軸になるように取付けられ、合わせて二つの軸が形成されている。左側面の側辺においても同様で、一方の側辺には通軸管（上側）１５と通軸管（下側）１６が一つの軸になるように取付けられており、他方の側辺においては、通軸管（上側）１７と通軸管（下側）１８がもう一つの軸になるように取付けられ、合わせて二つの軸が形成されている。後述するとおり、隣接するパネルの通軸管のうち一つの軸が挿通する通軸管を組み合わせて軸部材を挿嵌することにより回動自在になるように、二つの軸の軸上にあるそれぞれの通軸管が交互に並んで突設している。
【００１６】
図２（ａ）と図２（ｂ）を参照する。図２は、本考案の実施例１に係るパネル１の平面図（ａ）と右側面図（ｂ）である。
まず図２（ａ）を参照すると、平面図においては、右側面の一方の側辺においては通軸管（上側）１１と、他方の側辺においては通軸管（上側）１３が、左側面の一方の側辺においては通軸管（上側）１５が、他方の側辺においては通軸管（上側）１７が表れている。
図２（ｂ）を参照する。右側面図においては、右側面の一方の側辺において、通軸管（上側）１１と通軸管（下側）１２が一つの軸になるように取付けられており、他方の側辺においては、通軸管（上側）１３と通軸管（下側）１４がもう一つの軸になるように取付けられている。
上述したとおり、平面図においては、通軸管（下側）１２、１４、１６，１８は表れないが、これは右側面の一方の側辺においては、通軸管（上側）１１と通軸管（下側）１２が一つの軸になるように取付けられており、他方の側辺においては、通軸管（上側）１３と通軸管（下側）１４がもう一つの軸になるように取付けられ、合わせて二つの軸が形成されているからである。なお、左側面の側辺においても同様で、一方の側辺には通軸管（上側）１５と通軸管（下側）１６が一つの軸になるように取付けられており、他方の側辺においては、通軸管（上側）１７と通軸管（下側）１８がもう一つの軸になるように取付けられ、それぞれ軸が形成されているからである。
【００１７】
なお、パネル１の厚みは、強度と重さを踏まえ、材質によって任意の寸法とすることができる。材料としては、強度を有する樹脂、アルミ等比較的軽量の金属、又は木材を選択することができる。
【００１８】
図３と図４を参照する。図３は、本考案の実施例１に係る２枚のパネル１、２を軸支したパネル構造体Ａを示す図である。図４は、図３に示したパネル構造体Ａの軸支した２枚のパネル１、２の開閉の様子を示す平面図である。ここで、図面上の黒丸は軸支されていることを示している。
図３（ａ）は、２枚のパネル１、２を隣接する状態を示す図である。図３（ｂ）は、隣接させた２枚のパネル１、２の内角側の通軸管１３、１４、２５、２６を一つの軸になるように整列させ、軸部材３０を当該軸の上方から通軸管２５、１３、２６、１４の順に挿入して軸支する直前の状態を示す。さらに、図３（ｃ）は、軸部材３０を当該軸の上方から通軸管２５、１３、２６、１４の順に挿入して軸支した状態を示す。
図４に示すとおり、軸支した２枚のパネル１と２は、軸部材３０が通軸管２５、１３、２６、１４の順に挿入して軸支され、開閉することができる。すなわち、開放された状態（図４（ａ））から閉じられていく様子（図４（ｂ）、（ｃ））を示しているが、２枚のパネル１、２は軸支された通軸管２５（平面視で）の内側で開閉されることが理解されるであろう。
【００１９】
図５を説明する。図５は、図３に示した通軸管からすれば、他側辺側の通軸管１１、１２、２７、２８を軸支したパネル構造体Ａの２枚のパネル１、２の開閉の様子を示す平面図である。ここで、図面上の黒丸は軸支されていることを示している。
図５に示すとおり、軸支した２枚のパネル１と２は、図に示していないが、軸部材３０が通軸管１１、２７、１２、２８の順に挿入して軸支され、開閉することができる。すなわち、開放された状態（図５（ａ））から閉じられていく様子（図５（ｂ）、（ｃ））を示しているが、図４とは逆方向、すなわち２枚のパネル１、２は軸支された通軸管１１（平面視で）の内側で開閉されることが理解されるであろう。
【００２０】
図６を参照する。図６は、複数のパネルを軸支したパネル構造体を示す図で、それぞれ、（ａ）は三枚のパネル１、２、３を使用して平面視三角形のパネル構造体Ｂ、（ｂ）は四枚のパネル１、２、３、４を使用して平面視四角形のパネル構造体Ｃ、（ｃ）は六枚のパネル１、２、３、４、５、６を使用して平面視六角形のパネル構造体Ｄを形成するように軸支されて連結されている。ここでも、図面上の黒丸は軸支されていることを示し、符号はそれぞれ、軸支された最上の通軸管で示している。
このように、複数のパネルを組み合わせた状態で天板を載せて架台とするとよい。なお、図６のような組み合わせにおいては、軸部材３０を引き抜くことにより、各パネルを分解してばらばらにすることが可能である。
【００２１】
図７を参照する。図７は、本考案の実施例１に係る２枚のパネル１、２を連結部材４０で連結固定した状態を示す図である。なお、図７（ａ）において黒丸は連結固定されていることを示し、符号は通軸管に挿通する固定軸を示している。また、図７（ｂ）は、連結部材４０の構造を示している。連結部材４０は、４本の固定軸４０１、４０３、４０５、４０７とこれを支持する頭部とからなる。
図７（ａ）に示すとおり、隣接させた２枚のパネル１、２を突き合わせて整列させ、連結部材４０を当該軸の上方から固定軸４０１が通軸管１１、１２を、固定軸４０３が通軸管１３、１４を、固定軸４０５が通軸管２５、２６を、固定軸４０７が通軸管２７、２８に挿通して固定している。
このような連結部材４０を使用したのは、後述する図８に示すとおり、複数のパネルを折り畳んで収容するためには、少なくとも２枚隣接させて連結するパネルを軸部材３０で軸支した状態よりも長い寸法が必要であるからである。
【００２２】
図８を参照する。図８は、複数のパネルを軸支又は連結固定したパネル構造体Ｅについて、パネルを折り畳む様子を示す図である。
実施例１においては、図８（ａ）に示すとおり、８枚のパネル１、２、３、４、５、６、７、８を使用した平面視多角形のパネル構造体Ｅを形成している。より詳細には、パネル１と２、パネル５と６は、それぞれ連結部材４０で固定しており、それ以外の隣接するパネルは多角形内側の通軸管に軸部材３０を挿通して軸支している。
図８（ｂ）は、パネル５と６を連結固定していた連結部材４０を引き抜くことなく、パネル５、６を矢印の方向に、すなわち、パネル１、２に向けて折り畳む様子を示している。
図８（ｃ）は、折り畳まれた状態を示している。
このようなパネルの組み合わせを採用すれば、パネルを分解しなくても、折り畳むことができ、不使用の状態から使用する場合に改めて組み立てる必要がなく、利便性が高くなる。
【００２３】
図９を参照する。図９は、図８とは別の図であり、複数のパネルを軸支又は連結固定したパネル構造体Ｅについて、パネルを折り畳む様子を示す図である。
実施例１においては、図９（ａ）に示すとおり、８枚のパネル１、２、３、４、５、６、７、８を使用した平面視多角形のパネル構造体を形成している。より詳細には、パネル１と２、パネル５と６は、それぞれ連結部材４０で固定しており、それ以外の隣接するパネルは多角形内側の通軸管に軸部材３０を挿通して軸支している。図９（ｂ）は、パネル５と６を連結固定していた連結部材４０を引き抜いて、パネル６、７、８を矢印の方向に折り畳んでいる様子を示している。図９（ｃ）は、パネル３、４、５を矢印の方向に折り畳んでいる様子を示している。このように一部の連結部材４０のみを外すことで、すべてのパネルを分解しなくても、折り畳むことができ、不使用の状態から使用する場合に利便性が高くなる。
【００２４】
なお、パネル１の基部１０の表裏の上部近傍水平方向に桟を設ければ、複数のパネルで囲んだ内面に天板を嵌め込む構造としてもよい。
【００２５】
以上、本考案に係るパネル及びこれを用いたパネル構造体における好ましい実施形態を図示して説明してきたが、本考案の技術的範囲を逸脱することなく種々の変更が可能であることは理解されるであろう。
【産業上の利用可能性】
【００２６】
本考案に係るパネルを用いて、起伏のある地面に作業台を設置する際に、使用者等が容易に各脚を地面の高低差に対応させることができ、作業スペースに応じて、本考案に係るパネルの開き具合を自由に設定することにより対応することができる。さらに軽量で折り畳み又は分解が可能であるので、未使用時には、折り畳んで車両等に搭載して運搬することができるし、比較的小さなスペースに分解した状態で収納することもできるので、建設現場のみならず、アウトドア用テーブルや、狭い作業スペースでの作業台、商品展示場の展示架台、さらには子供向け組立玩具等にも利用でき、広く利用することができる。
【符号の説明】
【００２７】
１  ２  ３  ４  ５  ６  パネル
１０  ２０  基部
１０１  １０２  脚部
１１  １２  １３  １４  １５  １６  １７  通軸管
２１  ２２  ２３  ２４  ２５  ２６  ２７  通軸管
３０  軸部材
４０  連結部材
４０１  ４０３  ４０５  ４０７  連結棒
Ａ  Ｂ  Ｃ  Ｄ  Ｅ  パネル構造体
【図１】
0003217769.tif 000003
【図２】
0003217769.tif 000004
【図３】
0003217769.tif 000005
【図４】
0003217769.tif 000006
【図５】
0003217769.tif 000007
【図６】
0003217769.tif 000008
【図７】
0003217769.tif 000009
【図８】
0003217769.tif 000010
【図９】
0003217769.tif 000011
【図１０】
0003217769.tif 000012